(57)【要約】      （修正有）【課題】様々なランドセルに汎用的に装着でき、ランドセルと背中との間の通気性を改善し、背中から出た汗を通気により換気、乾燥させ素早く発散でき、頑丈で重いランドセルを支持することが可能な、軽量で使い心地に優れた背当てを提供する。【解決手段】ランドセルの背面に、これを覆うように、着脱自在に取り付けられる背当てであって、背中に接する面に、ランドセルの背面の略全体を覆うように設けられたメッシュ部材１と、メッシュ部材の少なくとも下端および左右両端に沿って設けられ、ランドセルの背面とメッシュ部材との間に間隙を設けるように固着された支持体３と、メッシュ部材の上端近くに設けられ、ランドセルの背面の上部に着脱自在に連結する上部連結具４と、メッシュ部材の下端近くに設けられ、ランドセルの背面の上部に着脱自在に連結する下部連結具５と、を備えた。【選択図】図１
0003234878.tif 000002
【実用新案登録請求の範囲】
【請求項１】
ランドセルの背面に、これを覆うように、着脱自在に取り付けられる背当てであって、
背中に接する面に、ランドセルの背面の略全体を覆うように設けられたメッシュ部材と、
前記メッシュ部材の少なくとも下端および左右両端に沿って設けられ、ランドセルの背面とメッシュ部材との間に間隙を設けるように固着された支持体と、
前記メッシュ部材の上端近くに設けられ、ランドセルの背面の上部に着脱自在に装着する上部連結具と、
前記メッシュ部材の下端近くに設けられ、ランドセルの背面の上部に着脱自在に装着する下部連結具と、
を備えたことを特徴とするランドセルの背当て。
【請求項２】
前記支持体は、通気性を有すると共に弾力性を有することを特徴とする、請求項１に記載のランドセルの背当て。
【請求項３】
前記上部連結具は、ランドセルの背面の上部の、ランドセル本体または背負いベルト上端に装着する伸縮性のあるベルトであることを特徴とする、請求項１または２のいずれかに記載のランドセルの背当て。
【請求項４】
前記上部連結具は、ランドセルの背面の上部の、かぶせ蓋に装着する伸縮性のあるベルトであることを特徴とする、請求項１または２のいずれかに記載のランドセルの背当て。
【請求項５】
前記上部連結具は、ランドセル本体の左右にそれぞれ設けられた上部連結具同士を、面ファスナーその他の連結部材により連結し、ランドセルの背面の上部に装着する伸縮性のあるベルトであることを特徴とする、請求項４に記載のランドセルの背当て。
【請求項６】
前記下部連結具は、ランドセル本体または背負いベルト下端に装着する伸縮性のあるベルトであることを特徴とする、請求項１〜５のいずれかに記載のランドセルの背当て。
【請求項７】
前記下部連結具は、ランドセル本体の左右にそれぞれ設けられた下部連結具同士を、面ファスナーその他の連結部材により連結し、ランドセル本体または背負いベルト下端に装着する伸縮性のあるベルトであることを特徴とする、請求項６に記載のランドセルの背当て。
【請求項８】
前記メッシュ部材の一部には、メッシュ部材からなるポケットが設けられたことを特徴とする、請求項１〜７のいずれかに記載のランドセルの背当て。
【請求項９】
前記メッシュ部材の上辺は、左右の背負いベルト上端部の一に対応して切り欠き部または凹部が設けられたことを特徴とする、請求項１〜７のいずれかに記載のランドセルの背当て。
【考案の詳細な説明】
【技術分野】
【０００１】
本考案は、ランドセルの背当てに関する。
【背景技術】
【０００２】
従来、小学生が通学の際に使用するランドセルや、これに類する日本のベルトで背負うタイプのバッグでは、教科書などを入れる収納部、収納部を覆うためのかぶせ蓋、背負いベルト、人の背中に接触する背裏などから構成されている。
特に厚い皮革や合成皮革などからなるランドセルでは、耐久性や耐水性に優れた素材が用いられる一方で、背裏には頑丈な背板が、人の背中に密着するようにされている。
【考案の概要】
【考案が解決しようとする課題】
【０００３】
このようなランドセルやそれに類する背負いカバンでは、背板の吸水性にも限界があり、背中と密着していることから汗が外気に発散されにくく、蒸れが生じる。
こうした背中の蒸れを改善するための方法が、これまでにも様々に開発されている。
【先行技術文献】
【特許文献】
【０００４】
【特許文献１】特開２００５−１６８８３９号公報
【特許文献２】特開２０１８−２３６７４号公報
【特許文献３】特開２０２０−８９５０５号公報
【特許文献４】実用新案登録第３２２７６７３号公報
【０００５】
特開２００５−１６８８３９号「ランドセル」においては、ランドセルを背負った際、背中から放出された汗を素早く発散でき、さらに軽量で使い心地に優れたランドセルが開示されている。
この発明は、背板、緩衝材と、緩衝材を覆う表皮とから構成される背裏部において、表皮の外面に無数の空隙を有するメッシュシートを接合することで、背中から放出された汗がメッシュシートの空隙に入り込み、この中に拡散していくため蒸れを感じることが少ない、というものである。
しかし、上記発明は必ずしも通気性がよく、これによって蒸れを通気により換気、乾燥させるというものではなく、メッシュシートで吸い取るようにしたものである。
しかもランドセルの構造として設けられているため、どのランドセルでも使えるというものではない。さらにメッシュシートが汗を吸い取ったままでは不潔であり、簡単に洗濯ができるというものではない。
【０００６】
特開２０１８−２３６７４号「リュックサック用背当て通気パッド」においては、抜群の通気性を有する通気パッドを提供するため、下記の構成が採用されている。
一つの一つの網目が相互の境界を一部共有しつつ複数の柱で支えられた、無数の網目の集合体からなるパッド体において、裏面に通気間隔保持支柱によってリュック背当て面との間に通気間隔を前面に確保したものである。
この発明によれば、通期パッド単体で構成されるため、どのランドセルにでも使えるという利点はある。
しかし、この発明によれば、ヤマアラシの背中の針のような多数の針柱である通気間隔保持支柱が設けられたプラスチックからパッドが構成されるため、人の背中に当たる全面が固く、嵩張り、扱いやすいものではない。
しかもランドセルへの取り付けにクリップ状の部材を用いているため、小学生が遊ぶ、走る、転ぶなどした場合には、外れやすい。
製造時においてはプラスチックを成型しなければならないという問題もある。
【０００７】
特開２０２０−８９５０５号「リュックサック」においては、風通しを確保しつつ、健康増進効果をも期待できるリュックサックが開示されている。
リュックサックは、収納部と、収納部に取り付けられた一対の肩掛けベルトと、収納部を支持し着用者の背中に装着されるサポータとを備える。サポータは、通気性を有するメッシュネットと、収納部の上下左右に沿って設けられた環状のフレーム体と、メッシュネットおよび収納部との間でフレーム体にスプリングを介して取付けられるボール部材とを有している、というものである。
この発明はリュックサックと一体となったものであり、汎用的に用いることができないばかりでなく、外周の環状のフレーム体で支持されているが、リュックサックではフレーム体で支持できたとしても、重く頑丈なランドセルに適用できるものではない。
【０００８】
実用新案登録第３２２７６７３号「リュックサック用の背当て」においては、リュックサックの背面が湿気ることが無く、リュックサックを背負った際に、人間工学に基づいて軽く感じられるリュックサック用の背当てが開示されている。
リュックサック用の背当ては、リュックサックの背面を覆うように、着脱自在に取り付けられ、弾性変形する弾性フレーム部材と、弾性フレーム部材の全周に縫い付けられ、通気性を有すると共に全方向に伸び可能なメッシュ部材と、弾性フレーム部材の上下両端に縫い付けられ、メッシュ部材の中央部をリュックサックの背面から離間する方向に弾性変形させる縦連結ベルトと、弾性フレーム部材の左右両端に、この左右両端の距離を減じるように縫い付けられ、メッシュ部材の中央部をリュックサックの背面に近接する方向に弾性変形させる横連結ベルトと、弾性フレーム部材とリュックサックの背面を着脱自在に連結する連結具とを具備する、というものである。
この発明によれば、弾性フレーム部材をベルトで変形させ、リュックサックを人間の背中から間に広い空間を置いて離間した状態で背負うようにしたことにより、リュックサックの背面が人間の背中の汗で湿気ることがないようにしたものである。
リュックサックではフレーム体で支持できたとしても、重く頑丈なランドセルに適用できるものではない。
【０００９】
そこで本考案においては、上記の様々な課題を解決し、様々なランドセルに汎用的に装着でき、ランドセルと背中との間の通気性を改善し、背中から出た汗を通気により換気、乾燥させ素早く発散でき、頑丈で重いランドセルを支持することが可能な、軽量で使い心地に優れたランドセルの背当てを提供することを目的とする。
【考案の開示】
【課題を解決するための手段】
【００１０】
上記課題を解決するため、請求項１に記載の考案は、
ランドセルの背面に、これを覆うように、着脱自在に取り付けられる背当てであって、
背中に接する面に、ランドセルの背面の略全体を覆うように設けられたメッシュ部材と、
前記メッシュ部材の少なくとも下端および左右両端に沿って設けられ、ランドセルの背面とメッシュ部材との間に間隙を設けるように固着された支持体と、
前記メッシュ部材の上端近くに設けられ、ランドセルの背面の上部に着脱自在に装着する上部連結具と、
前記メッシュ部材の下端近くに設けられ、ランドセルの背面の上部に着脱自在に装着する下部連結具と、
を備えた、ランドセルの背当てであることを特徴とする。
【００１１】
上記課題を解決するため、請求項２に記載の考案は、
前記支持体は、通気性を有すると共に弾力性を有する、請求項１に記載のランドセルの背当てであることを特徴とする。
【００１２】
上記課題を解決するため、請求項３に記載の考案は、
前記上部連結具は、ランドセルの背面の上部の、ランドセル本体または背負いベルト上端に装着する伸縮性のあるベルトである、請求項１または２のいずれかに記載のランドセルの背当てであることを特徴とする。
【００１３】
上記課題を解決するため、請求項４に記載の考案は、
前記上部連結具は、ランドセルの背面の上部の、かぶせ蓋に装着する伸縮性のあるベルトである、請求項１または２のいずれかに記載のランドセルの背当てであることを特徴とする。
【００１４】
上記課題を解決するため、請求項５に記載の考案は、
前記上部連結具は、ランドセル本体の左右にそれぞれ設けられた上部連結具同士を、面ファスナーその他の連結部材により連結し、ランドセルの背面の上部に装着する伸縮性のあるベルトである、請求項４に記載のランドセルの背当てであることを特徴とする。
【００１５】
上記課題を解決するため、請求項６に記載の考案は、
前記下部連結具は、ランドセル本体または背負いベルト下端に取り付ける伸縮性のあるベルトである、請求項１〜５のいずれかに記載のランドセルの背当てであることを特徴とする。
【００１６】
上記課題を解決するため、請求項７に記載の考案は、
前記下部連結具は、ランドセル本体の左右にそれぞれ設けられた下部連結具同士を、面ファスナーその他の連結部材により連結し、ランドセル本体または背負いベルト下端に装着する伸縮性のあるベルトである、請求項１〜５のいずれかに記載のランドセルの背当てであることを特徴とする。
【００１７】
上記課題を解決するため、請求項８に記載の考案は、
前記メッシュ部材の一部には、メッシュ部材からなるポケットが設けられた、請求項１〜７のいずれかに記載のランドセルの背当てであることを特徴とする。
【００１８】
上記課題を解決するため、請求項９に記載の考案は、
前記メッシュ部材の上辺は、左右の背負いベルト上端部の一に対応して切り欠き部または凹部が設けられた、請求項１〜７のいずれかに記載のランドセルの背当てであることを特徴とする。
【考案の効果】
【００１９】
本考案によれば、ランドセルと背中との間の通気性を改善し、背中から出た汗を通気により換気、乾燥させ素早く発散でき、頑丈で重いランドセルを支持することが可能な、軽量で使い心地に優れたランドセルの背当てを提供することができる。
【図面の簡単な説明】
【００２０】
【図１】本考案のランドセルの背当てをランドセル背面側から見た正面図である。
【図２】図１に示す本考案のランドセルの背当てを横から見た側面図である。
【図３】図１に示す本考案のランドセルの背当て上から見た平面図である。
【図４】本考案の別の形態のランドセルの背当てをランドセル背面側から見た正面図である。
【図５】本考案の別の形態のランドセルの背当てをランドセル背面側から見た正面図である。
【図６】図５に示す本考案のランドセルの背当てをランドセル背面側から見た図面代用写真である。
【図７】図５に示す本考案のランドセルの背当てを人の背中側から見た図面代用写真である。
【図８】図５に示す本考案のランドセルの背当てをランドセルに装着した状態を見た図面代用写真である。
【図９】図５に示す本考案のランドセルの背当てをランドセルに装着して背負った状態を見た図面代用写真である。
【図１０】本考案の別の形態のランドセルの背当てをランドセル背面側から見た正面図である。
【図１１】本考案の別の実施形態のランドセルの背当てを、ランドセル背面側から見た図面代用写真であり、メッシュ部材の上辺に凹部が設けられた実施形態を示す。
【図１２】図１１に示す本考案のランドセルの背当ての、上部連結具をランドセル背面側から拡大して見た図面代用写真である。
【図１３】図１１に示す本考案のランドセルの背当てをランドセルに装着した状態を見た図面代用写真である。
【図１４】図１１に示す本考案のランドセルの背当てをランドセルに装着した状態の上部連結具を拡大して見た図面代用写真である。
【図１５】図１１に示す本考案のランドセルの背当てをランドセルに装着した状態の下部連結具を拡大して見た図面代用写真である。
【符号の説明】
【００２１】
１  メッシュ部材
２  ポケット
３  支持体
４  上部連結具
５  下部連結具
【考案を実施するための形態】
【００２２】
以下、本考案のランドセルの背当てについて、図面を参照して説明する。
図１〜図９を参照しながら、本考案の実施形態について説明する。
本考案のランドセルの背当ては、ランドセルの背面に、これを覆うように、着脱自在に取り付けられる背当てである。ランドセルは、皮革製、合成皮革製のほか、布製など様々な素材や形状のものであってもよい。ランドセルに類似する、二本の肩掛けベルトで背負いタイプの鞄を含む。
本考案の背当ては、ランドセルに着脱自在に装着できるので、汎用的にさまざまなランドセルに装着して使用でき、外して洗濯をすることもできる。
【００２３】
初めに、本考案のランドセルの背当ては、人の背中に接する面に、ランドセルの背面の略全体を覆うように設けられたメッシュ部材１を備えている。
図１は、本考案のランドセルの背当てをランドセル背面側から見た正面図である。
図２は、図１に示す本考案のランドセルの背当てを横から見た側面図である。
図３は、図１に示す本考案のランドセルの背当て上から見た平面図である。
図２、図３に示すように、後述する支持体が、ランドセルの背板と人の背中との間に間隙を作り、メッシュ部材１は無数の穴があき通気性に優れるため、背負った状態で背中は常に容易に空気に触れ、蒸れを防ぐ働きをする。
メッシュ部材１の形状は、ライドセルの背面の形状に合わせたものが望ましく、図１に示すように略四角形のものであってもよい。
また、図１１に示すように、前記メッシュ部材の上辺は、左右の背負いベルト上端部の一に対応して切り欠き部または凹部が設けられていてもよい。
【００２４】
また、この間隙を利用して、メッシュ部材１の一部には、メッシュ部材１からなるポケット２が設けられるようにしてもよい。
図５は、メッシュ部材１の下半分に、メッシュ素材を二重にするようにしてポケット２を設けた、本考案の別の形態のランドセルの背当てをランドセル背面側から見た正面図である。
図６は、図５に示す本考案のランドセルの背当てをランドセル背面側から見た図面代用写真である。
図７は、図５に示す本考案のランドセルの背当てを人の背中側から見た図面代用写真であり、人の背中に接触する面を示している。
【００２５】
次に、本考案のランドセルの背当ては、前記メッシュ部材１の少なくとも下端および左右両端に沿って設けられ、ランドセルの背面とメッシュ部材１との間に間隙を設けるように固着された支持体３を備えている。
支持体３の素材や形状は、図示した以外にも様々な形状、構造を採用することができる。
また、図示しないが、支持体３は、メッシュ部材１の上端に沿って設けられていてもよい。また、メッシュ部材１の中央部など、各所に設けることもできる。
支持体３は、スポンジ、発泡ウレタンその他の、通気性を有すると共に弾力性を有するものであることが好ましい。
図１１に示される実施形態では、経年劣化や洗濯による支持体３の反発機能の低下を防ぐため、センターステッチを入れてモリを出すようにされている。
【００２６】
次に、本考案のランドセルの背当ては、前記メッシュ部材１の上端近くに設けられ、ランドセルの背面の上部に着脱自在に装着する上部連結具４を備えている。
上部連結具４は、好ましい一例としては、ランドセル本体に装着する伸縮性のあるベルトである。
上部連結具４の素材や形状、構造は、様々なものを採用することができる。たとえば、バックルや留め金具等のついたベルト、結び紐やチェーン、面ファスナー付きのベルト、その他のものを採用してもよい。
図４は、本考案の別の形態のランドセルの背当てをランドセル背面側から見た正面図である。
【００２７】
上部連結具４は、好ましい一例としては、図１〜図３，図８、図９に示すようなものである。
これらの図に示される上部連結具４は、ランドセルの背面の上部の、ランドセルのかぶせ蓋に装着する伸縮性のあるベルトである。かぶせ蓋に取り付ければ、ランドセルの蓋を閉じれば、小学生が遊んだり、走ったり転んだりしても、背当てが容易に外れることがない。
また、上部連結具４は、かぶせ蓋以外にも、ランドセルの背負いベルト上端に装着するようにすることもできる。
【００２８】
図１０は、本考案の別の形態のランドセルの背当てをランドセル背面側から見た正面図である。
この実施形態によれば、上部連結具４は、ランドセル本体の左右にそれぞれ設けられた上部連結具４同士を、面ファスナーその他の連結部材により連結し、ランドセルの背面の上部に装着するようにされている。
さらに、下部連結具５は、ランドセル本体の左右にそれぞれ設けられた下部連結具５同士を、面ファスナーその他の連結部材により連結し、ランドセル本体または背負いベルト下端に装着するようにされている。
【００２９】
図１１は、本考案の別の実施形態のランドセルの背当てを、ランドセル背面側から見た図面代用写真である。
なお、図１１においては、前記したように、本実施形態によれば、前記メッシュ部材の上辺は、左右の背負いベルト上端部の一に対応して切り欠き部または凹部が設けられている。
また、図１１〜図１５においては、上部連結具４は、ランドセル本体の左右にそれぞれ設けられた上部連結具４同士を、面ファスナーその他の連結部材により連結し、ランドセルの背面の上部に装着するようにされており、図１と同様に下部連結具５は一つの伸縮性のあるベルトにより構成されている。
左右の上部連結具４同士は面ファスナーで連結するようにされており、各種のランドセルに装着可能なように調整することができる。
【００３０】
図１２は、図１１に示す本考案のランドセルの背当ての、上部連結具をランドセル背面側から拡大して見た図面代用写真である。
これらの実施形態によれば、上部連結具４は、ランドセル本体の左右にそれぞれ設けられた上部連結具４同士を、面ファスナーその他の連結部材により連結し、ランドセルの背面の上部に装着する伸縮性のあるベルトである。
図１３は、図１１に示す本考案のランドセルの背当てをランドセルに装着した状態を見た図面代用写真である。
図１４は、図１１に示す本考案のランドセルの背当てをランドセルに装着した状態の上部連結具を拡大して見た図面代用写真である。
上部連結具４は、ほぼ全体が伸縮性のある素材からなるものでもよいが、一部にのみ伸縮性のある素材が用いられていてもよい。着脱する部分などの劣化を軽減するため、一部には伸びない素材を使用することもできる。
【００３１】
次に、本考案のランドセルの背当ては、前記メッシュ部材１の下端近くに設けられ、ランドセルの背面の上部に着脱自在に装着する下部連結具５を備えている。
下部連結具５は、好ましい一例としては、ランドセル本体に装着する「伸縮性のあるベルトである。
図８、図９においては、ランドセル本体の背板の下端の、左右両端の角に伸縮性のあるベルト状の下部連結具５が装着されている。
下部連結具５の素材や形状、構造は、様々なものを採用することができる。たとえば、バックルや留め金具等のついたベルト、結び紐やチェーン、面ファスナー付きのベルト、その他のものを採用してもよい。
【００３２】
図１５は、図１１に示す本考案のランドセルの背当てをランドセルに装着した状態の下部連結具を拡大して見た図面代用写真である。
下部連結具５は、ほぼ全体が伸縮性のある素材からなるものでもよいが、一部にのみ伸縮性のある素材が用いられていてもよい。着脱する部分などの劣化を軽減するため、一部には伸びない素材を使用することもできる。
【産業上の利用可能性】
【００３３】
以上詳細に説明したように、本考案によれば、様々なランドセルに汎用的に装着でき、ランドセルと背中との間の通気性を改善し、背中から出た汗を通気により換気、乾燥させ素早く発散でき、頑丈で重いランドセルを支持することが可能な、軽量で使い心地に優れたランドセルの背当てを提供することができる。
【図１】
0003234878.tif 000003
【図２】
0003234878.tif 000004
【図３】
0003234878.tif 000005
【図４】
0003234878.tif 000006
【図５】
0003234878.tif 000007
【図６】
0003234878.tif 000008
【図７】
0003234878.tif 000009
【図８】
0003234878.tif 000010
【図９】
0003234878.tif 000011
【図１０】
0003234878.tif 000012
【図１１】
0003234878.tif 000013
【図１２】
0003234878.tif 000014
【図１３】
0003234878.tif 000015
【図１４】
0003234878.tif 000016
【図１５】
0003234878.tif 000017